(57)【要約】【課題】  コンピューターから電子機器にインターネット経由で接続する場合に適用可能なインフラストラクチャーを増やすことができる遠隔接続システムおよび遠隔接続プログラムを提供する。【解決手段】  遠隔接続システムは、ＭＦＰと、ＭＦＰに遠隔から接続する携帯端末とを備え、携帯端末は、電話番号を使用してＳＩＰでＭＦＰに接続し（Ｓ１０１）、Ｓ１０１におけるＭＦＰへの接続によってＭＦＰのＨＴＴＰ用のアドレスを取得し（Ｓ１０２）、Ｓ１０２において取得したアドレスを使用してＨＴＴＰでＭＦＰに接続する（Ｓ１０３）ことを特徴とする。【選択図】  図６
2017011564.tif 000002
【特許請求の範囲】
【請求項１】
電子機器と、
前記電子機器に遠隔から接続するコンピューターとを備え、
前記コンピューターは、
電話番号を使用してＳＩＰで前記電子機器に接続するＳＩＰ接続手段と、
前記ＳＩＰ接続手段による前記電子機器への接続によって前記電子機器のＨＴＴＰ用のアドレスを取得するアドレス取得手段と、
前記アドレス取得手段によって取得したアドレスを使用してＨＴＴＰで前記電子機器に接続するＨＴＴＰ接続手段とを備えることを特徴とする遠隔接続システム。
【請求項２】
前記コンピューターは、
前記ＨＴＴＰ接続手段によって接続された前記電子機器から前記電子機器のウェブページを取得するページ取得手段と、
前記ページ取得手段によって取得された前記ウェブページをウェブブラウザーに表示するページ表示手段とを備えることを特徴とする請求項１に記載の遠隔接続システム。
【請求項３】
前記ウェブページは、前記電子機器に対する操作用のページであることを特徴とする請求項２に記載の遠隔接続システム。
【請求項４】
前記電子機器が所属しているネットワークのファイアーウォールは、ＩＰ電話を許可することを特徴とする請求項１から請求項３までの何れかに記載の遠隔接続システム。
【請求項５】
電話番号を使用してＳＩＰで電子機器に接続するＳＩＰ接続手段、
前記ＳＩＰ接続手段による前記電子機器への接続によって前記電子機器のＨＴＴＰ用のアドレスを取得するアドレス取得手段、および、
前記アドレス取得手段によって取得したアドレスを使用してＨＴＴＰで前記電子機器に接続するＨＴＴＰ接続手段としてコンピューターを機能させることを特徴とする遠隔接続プログラム。
【発明の詳細な説明】
【技術分野】
【０００１】
本発明は、電子機器にコンピューターで遠隔から接続する遠隔接続システムおよび遠隔接続プログラムに関する。
【背景技術】
【０００２】
従来、ＶＮＣ（Ｖｉｒｔｕａｌ  Ｎｅｔｗｏｒｋ  Ｃｏｍｐｕｔｉｎｇ）サーバーとしての画像処理装置と、ＶＮＣビューアーとしてのリモートアクセス装置とを組み合わせて、画像処理装置の遠隔操作を可能とした遠隔接続システムが知られている（例えば、特許文献１参照。）。
【先行技術文献】
【特許文献】
【０００３】
【特許文献１】特開２００７−１１５０３９号公報
【発明の概要】
【発明が解決しようとする課題】
【０００４】
しかしながら、従来の遠隔接続システムは、ＶＮＣビューアーからインターネット経由でＶＮＣサーバーに接続する場合、適用可能なインフラストラクチャーが限られるという問題がある。例えば、従来の遠隔接続システムは、ＶＮＣビューアーからインターネット経由でＶＮＣサーバーに接続する場合、通常の企業のインフラストラクチャーに適用されることが困難である。
【０００５】
以下、ＶＮＣビューアーからインターネット経由でＶＮＣサーバーに接続する場合に従来の遠隔接続システムが通常の企業のインフラストラクチャーに適用されることが困難である理由について説明する。
【０００６】
企業のインフラストラクチャーにおけるファイアーウォールは、通常、ＶＮＣで使用する５９００ポートを開いていない。また、企業のインフラストラクチャー外のＶＮＣビューアーから企業のインフラストラクチャー内のＶＮＣサーバーにアクセスする場合、企業のインフラストラクチャー内のブロードバンドルーターのグローバルＩＰ（Ｉｎｔｅｒｎｅｔ  Ｐｒｏｔｏｃｏｌ）アドレスが利用される必要がある。また、企業のインフラストラクチャー内のブロードバンドルーターのグローバルＩＰアドレスの特定のポートに対する接続要求を、企業のインフラストラクチャー内のＶＮＣサーバーのプライベートＩＰアドレスの特定のポートに自動的に転送するポートマッピングが、企業のインフラストラクチャー内のブロードバンドルーターに設定される必要がある。更に、企業のインフラストラクチャー内のブロードバンドルーターのグローバルＩＰアドレスが固定ではない場合には、ダイナミックＤＮＳ（Ｄｏｍａｉｎ  Ｎａｍｅ  Ｓｙｓｔｅｍ）が設定される必要がある。以上に説明したように、ＶＮＣビューアーからインターネット経由でＶＮＣサーバーに接続する場合に従来の遠隔接続システムが通常の企業のインフラストラクチャーに適用されるためには、企業のインフラストラクチャーにおけるネットワークに対して多くの設定が必要である。
【０００７】
そこで、本発明は、コンピューターから電子機器にインターネット経由で接続する場合に適用可能なインフラストラクチャーを増やすことができる遠隔接続システムおよび遠隔接続プログラムを提供することを目的とする。
【課題を解決するための手段】
【０００８】
本発明の遠隔接続システムは、電子機器と、前記電子機器に遠隔から接続するコンピューターとを備え、前記コンピューターは、電話番号を使用してＳＩＰで前記電子機器に接続するＳＩＰ接続手段と、前記ＳＩＰ接続手段による前記電子機器への接続によって前記電子機器のＨＴＴＰ用のアドレスを取得するアドレス取得手段と、前記アドレス取得手段によって取得したアドレスを使用してＨＴＴＰで前記電子機器に接続するＨＴＴＰ接続手段とを備えることを特徴とする。
【０００９】
この構成により、本発明の遠隔接続システムは、電話番号を使用してＳＩＰでコンピューターから電子機器に接続することによって、ＨＴＴＰでコンピューターから電子機器に接続するので、電子機器が所属しているインフラストラクチャーにおけるネットワークに対して従来のような特別な設定を必要とせずに、コンピューターから電子機器にインターネット経由で接続することができる。したがって、本発明の遠隔接続システムは、コンピューターから電子機器にインターネット経由で接続する場合に適用可能なインフラストラクチャーを増やすことができる。
【００１０】
また、本発明の遠隔接続システムにおいて、前記コンピューターは、前記ＨＴＴＰ接続手段によって接続された前記電子機器から前記電子機器のウェブページを取得するページ取得手段と、前記ページ取得手段によって取得された前記ウェブページをウェブブラウザーに表示するページ表示手段とを備えても良い。
【００１１】
この構成により、本発明の遠隔接続システムは、電話番号を使用してＳＩＰでコンピューターから電子機器に接続することによって、電子機器のウェブページをウェブブラウザーに表示するので、コンピューターからの電子機器の情報の確認を容易化することができる。
【００１２】
また、本発明の遠隔接続システムにおいて、前記ウェブページは、前記電子機器に対する操作用のページであっても良い。
【００１３】
この構成により、本発明の遠隔接続システムは、電話番号を使用してＳＩＰでコンピューターから電子機器に接続することによって、電子機器に対する操作用のウェブページをウェブブラウザーに表示するので、コンピューターからの電子機器に対する操作を容易化することができる。
【００１４】
また、本発明の遠隔接続システムにおいて、前記電子機器が所属しているネットワークのファイアーウォールは、ＩＰ電話を許可しても良い。
【００１５】
この構成により、本発明の遠隔接続システムは、電子機器が所属しているネットワークのファイアーウォールがＩＰ電話を許可する場合には、ＳＩＰでコンピューターから電子機器に接続するための特別な設定を必要としないので、コンピューターから電子機器にインターネット経由で接続する場合に適用可能なインフラストラクチャーを増やすことができる。
【００１６】
本発明の遠隔接続プログラムは、電話番号を使用してＳＩＰで電子機器に接続するＳＩＰ接続手段、前記ＳＩＰ接続手段による前記電子機器への接続によって前記電子機器のＨＴＴＰ用のアドレスを取得するアドレス取得手段、および、前記アドレス取得手段によって取得したアドレスを使用してＨＴＴＰで前記電子機器に接続するＨＴＴＰ接続手段としてコンピューターを機能させることを特徴とする。
【００１７】
この構成により、本発明の遠隔接続プログラムは、電話番号を使用してＳＩＰでコンピューターから電子機器に接続することによって、ＨＴＴＰでコンピューターから電子機器に接続するので、電子機器が所属しているインフラストラクチャーにおけるネットワークに対して従来のような特別な設定を必要とせずに、コンピューターから電子機器にインターネット経由で接続することができる。したがって、本発明の遠隔接続プログラムは、コンピューターから電子機器にインターネット経由で接続する場合に適用可能なインフラストラクチャーを増やすことができる。
【発明の効果】
【００１８】
本発明の遠隔接続システムおよび遠隔接続プログラムは、コンピューターから電子機器にインターネット経由で接続する場合に適用可能なインフラストラクチャーを増やすことができる。
【図面の簡単な説明】
【００１９】
【図１】本発明の一実施の形態に係る遠隔接続システムのブロック図である。
【図２】図１に示すＭＦＰのブロック図である。
【図３】図１に示すファイアーウォールの設定の一例を示す図である。
【図４】図１に示すＳＩＰサーバーの設定の一例を示す図である。
【図５】図１に示す携帯端末のブロック図である。
【図６】図５に示す携帯端末の動作のフローチャートである。
【図７】ウェブブラウザーによって表示される図２に示すウェブページの一例を示す図である。
【発明を実施するための形態】
【００２０】
以下、本発明の一実施の形態について、図面を用いて説明する。
【００２１】
まず、本実施の形態に係る遠隔接続システムの構成について説明する。
【００２２】
図１は、本実施の形態に係る遠隔接続システム１０のブロック図である。
【００２３】
図１に示すように、遠隔接続システム１０は、電子機器としてのＭＦＰ（Ｍｕｌｔｉｆｕｎｃｔｉｏｎ  Ｐｅｒｉｐｈｅｒａｌ）２０と、ＭＦＰ２０が所属しているＬＡＮ（Ｌｏｃａｌ  Ａｒｅａ  Ｎｅｔｗｏｒｋ）１１に所属しているファイアーウォール３０と、ＬＡＮ１１に所属しているＳＩＰ（Ｓｅｓｓｉｏｎ  Ｉｎｉｔｉａｔｉｏｎ  Ｐｒｏｔｏｃｏｌ）サーバー４０と、ＭＦＰ２０に遠隔から接続するコンピューターとしてのスマートフォンなどの携帯端末５０とを備えている。ＬＡＮ１１に所蔵しているＭＦＰ２０と、ＬＡＮ１１に所蔵していない携帯端末５０とは、インターネットなどのネットワーク１２を介して通信可能である。
【００２４】
図２は、ＭＦＰ２０のブロック図である。
【００２５】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ＬＡＮ１１（図１参照。）経由で外部の装置と通信を行うネットワーク通信デバイスであるネットワーク通信部２６と、各種の情報を記憶する半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２６】
記憶部２７は、ＭＦＰ２０のウェブページ２７ａを記憶している。ウェブページ２７ａは、ＭＦＰ２０の情報を通知したり、ＭＦＰ２０に対する操作を受け付けたりすることが可能なウェブページである。ウェブページ２７ａは、例えばＨＴＭＬ（ＨｙｐｅｒＴｅｘｔ  Ｍａｒｋｕｐ  Ｌａｎｇｕａｇｅ）などのマークアップ言語によって記述されている。
【００２７】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００２８】
図３は、ファイアーウォール３０（図１参照。）の設定３０ａの一例を示す図である。
【００２９】
図３に示すように、ファイアーウォール３０は、ＬＡＮ１１（図１参照。）の内部と、ＬＡＮ１１の外部との間のＩＰ電話、すなわち、ＳＩＰでの通信を許可している。また、ファイアーウォール３０は、ＬＡＮ１１の内部と、ＬＡＮ１１の外部との間のＨＴＴＰ（Ｈｙｐｅｒｔｅｘｔ  Ｔｒａｎｓｆｅｒ  Ｐｒｏｔｏｃｏｌ）での通信も許可している。
【００３０】
図４は、ＳＩＰサーバー４０（図１参照。）の設定４０ａの一例を示す図である。
【００３１】
図４に示すように、ＳＩＰサーバー４０は、ＭＦＰ２０（図１参照。）の電話番号と、ＭＦＰ２０のＭＡＣ（Ｍｅｄｉａ  Ａｃｃｅｓｓ  Ｃｏｎｔｒｏｌ）アドレスとの組み合わせなど、デバイスの電話番号およびＭＡＣアドレスの組み合わせを記憶している。したがって、ＭＦＰ２０は、ＬＡＮ１１（図１参照。）に接続されると、ＳＩＰサーバー４０からＭＦＰ２０自身の電話番号を取得することができる。なお、ＭＦＰ２０は、ＬＡＮ１１に接続されると、図示していないＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバーからＭＦＰ２０自身のＩＰアドレスを取得することもできる。
【００３２】
図５は、携帯端末５０のブロック図である。
【００３３】
図５に示すように、携帯端末５０は、種々の操作が入力されるボタンなどの入力デバイスである操作部５１と、種々の情報を表示するＬＣＤなどの表示デバイスである表示部５２と、無線通信によって外部の装置と通信を行う通信デバイスである無線通信部５３と、プログラムおよび各種のデータを記憶しているＨＤＤなどの不揮発性の記憶デバイスである記憶部５４と、携帯端末５０全体を制御する制御部５５とを備えている。
【００３４】
記憶部５４は、ウェブページを表示部５２に表示させるウェブブラウザー５４ａと、ＭＦＰ２０から取得したウェブページをウェブブラウザー５４ａによって表示部５２に表示させるアプリケーションとしての遠隔接続プログラム５４ｂとを記憶している。ウェブブラウザー５４ａおよび遠隔接続プログラム５４ｂは、携帯端末５０の製造段階で携帯端末５０にインストールされていても良いし、ＳＤカード、ＵＳＢ（Ｕｎｉｖｅｒｓａｌ  Ｓｅｒｉａｌ  Ｂｕｓ）メモリーなどの外部記憶媒体から携帯端末５０に追加でインストールされても良いし、ネットワーク１２上から携帯端末５０に追加でインストールされても良い。
【００３５】
記憶部５４は、ＭＦＰ２０の電話番号を含む電話帳５４ｃを記憶している。
【００３６】
制御部５５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部５４に記憶されているプログラムを実行する。
【００３７】
制御部５５は、記憶部５４に記憶されている遠隔接続プログラム５４ｂを実行することによって、電話番号を使用してＳＩＰでＭＦＰ２０に接続するＳＩＰ接続手段５５ａ、ＳＩＰ接続手段５５ａによるＭＦＰ２０への接続によってＭＦＰ２０のＨＴＴＰ用のアドレスを取得するアドレス取得手段５５ｂ、アドレス取得手段５５ｂによって取得したアドレスを使用してＨＴＴＰでＭＦＰ２０に接続するＨＴＴＰ接続手段５５ｃ、ＨＴＴＰ接続手段５５ｃによって接続されたＭＦＰ２０からＭＦＰ２０のウェブページ２７ａを取得するページ取得手段５５ｄ、および、ページ取得手段５５ｄによって取得されたウェブページ２７ａをウェブブラウザー５４ａに表示するページ表示手段５５ｅとして機能する。
【００３８】
なお、携帯端末５０の制御部５５は、３Ｇ、４Ｇなどの移動通信システム経由でネットワーク１２に接続されている。ただし、携帯端末５０が接続可能なＷｉ−Ｆｉ（Ｗｉｒｅｌｅｓｓ  Ｆｉｄｅｌｉｔｙ）の電波の範囲内に携帯端末５０が存在する場合には、携帯端末５０の制御部５５は、移動通信システム経由ではなくＷｉ−Ｆｉ経由でネットワーク１２に接続されるように切り替わっても良い。
【００３９】
次に、携帯端末５０の動作について説明する。
【００４０】
携帯端末５０の制御部５５は、遠隔接続プログラム５４ｂを通してＭＦＰ２０の電話番号に電話することが操作部５１を介して指示されると、図６に示す動作を実行する。ここで、利用者は、電話帳５４ｃに登録されているＭＦＰ２０の電話番号を使用して、遠隔接続プログラム５４ｂを通してＭＦＰ２０の電話番号に電話することを操作部５１を介して指示することができる。
【００４１】
図６は、携帯端末５０の動作のフローチャートである。
【００４２】
図６に示すように、ＳＩＰ接続手段５５ａは、ＭＦＰ２０の電話番号を使用してＳＩＰで呼制御を行うことによってＭＦＰ２０に接続する（Ｓ１０１）。具体的には、ＳＩＰ接続手段５５ａは、携帯端末５０を管理している電話会社の通信網と、ＬＡＮ１１およびネットワーク１２を接続するＩＳＰ（Ｉｎｔｅｒｎｅｔ  Ｓｅｒｖｉｃｅ  Ｐｒｏｖｉｄｅｒ）の通信網とを経由して、ＭＦＰ２０に接続する。ここで、ＭＦＰ２０は、電話会社のＳＩＰサーバーによって特定される。なお、後述のＳ１０２の処理においてアドレスが取得されることが可能な状態になった場合、ＳＩＰ接続手段５５ａは、ＳＩＰによる接続を終了する。したがって、ＳＩＰによる電話料金は、ＳＩＰによってＭＦＰ２０および携帯端末５０が接続されている一瞬の時間に対応する料金のみである。
【００４３】
アドレス取得手段５５ｂは、Ｓ１０１の処理の後、Ｓ１０１におけるＭＦＰ２０への接続によってＭＦＰ２０のＨＴＴＰ用のアドレスを取得する（Ｓ１０２）。ここで、ＨＴＴＰ用のアドレスは、ＵＲＬ（Ｕｎｉｆｏｒｍ  Ｒｅｓｏｕｒｃｅ  Ｌｏｃａｔｏｒ）アドレスであっても良いし、ＩＰ（Ｉｎｔｅｒｎｅｔ  Ｐｒｏｔｏｃｏｌ）アドレスであっても良い。
【００４４】
ＨＴＴＰ接続手段５５ｃは、Ｓ１０２の処理の後、Ｓ１０２において取得したアドレスを使用してＨＴＴＰでＭＦＰ２０に接続する（Ｓ１０３）。
【００４５】
次いで、ページ取得手段５５ｄは、Ｓ１０３において接続されたＭＦＰ２０からＭＦＰ２０のウェブページ２７ａを取得する（Ｓ１０４）。
【００４６】
次いで、ページ表示手段５５ｅは、Ｓ１０４において取得されたウェブページ２７ａをウェブブラウザー５４ａに表示して（Ｓ１０５）、図６に示す動作を終了する。
【００４７】
図７は、ウェブブラウザー５４ａによって表示されるウェブページ２７ａの一例を示す図である。
【００４８】
図７に示すウェブページ２７ａには、ＭＦＰ２０のファックス通信部２５経由でのＦＡＸの送信をＭＦＰ２０に指示するためのボタン２７ｂと、ファックス通信部２５経由で受信されたＦＡＸの確認をＭＦＰ２０に指示するためのボタン２７ｃと、ＭＦＰ２０のネットワーク通信部２６経由での電子メールの送信をＭＦＰ２０に指示するためのボタン２７ｄと、ネットワーク通信部２６経由で受信された電子メールの確認をＭＦＰ２０に指示するためのボタン２７ｅと、ＭＦＰ２０の記憶部２７に確保されている図示していない記憶領域であるＢＯＸの内容の確認をＭＦＰ２０に指示するためのボタン２７ｆと、ＭＦＰ２０のプリンター２４による印刷をＭＦＰ２０に指示するためのボタン２７ｇとが含まれている。
【００４９】
利用者は、図７に示すウェブページ２７ａが表示部５２に表示されている場合に、携帯端末５０の操作部５１を介してボタン２７ｂを押すことによって、遠隔地に存在するＭＦＰ２０からＦＡＸの送信を実行することができる。利用者は、ＭＦＰ２０からＦＡＸの送信を実行する場合に、ＭＦＰ２０のＢＯＸ内の画像と、携帯端末５０の記憶部５４内の画像との何れかをＦＡＸの送信の対象として指定することができる。ここで、ＭＦＰ２０の制御部２８は、ＦＡＸの送信の対象を指定するための画面が携帯端末５０から要求されると、要求された画面のウェブページを生成する。そして、携帯端末５０の制御部５５は、ＦＡＸの送信の対象を指定するための画面のウェブページをページ取得手段５５ｄによってＭＦＰ２０から取得して、取得したウェブページをページ表示手段５５ｅによってウェブブラウザー５４ａに表示させる。また、利用者は、ＭＦＰ２０からＦＡＸの送信を実行する場合に、送信する予定のＦＡＸのプレビューを表示部５２で確認することができる。ここで、ＭＦＰ２０の制御部２８は、プレビューの画面が携帯端末５０から要求されると、要求された画面のウェブページを生成する。そして、携帯端末５０の制御部５５は、プレビューの画面のウェブページをページ取得手段５５ｄによってＭＦＰ２０から取得して、取得したウェブページをページ表示手段５５ｅによってウェブブラウザー５４ａに表示させる。
【００５０】
利用者は、図７に示すウェブページ２７ａが表示部５２に表示されている場合に、携帯端末５０の操作部５１を介してボタン２７ｃを押すことによって、遠隔地に存在するＭＦＰ２０によって受信されたＦＡＸの内容を確認するための画面を表示部５２に表示させることができる。ここで、ＭＦＰ２０の制御部２８は、ＭＦＰ２０によって受信されたＦＡＸの内容を確認するための画面が携帯端末５０から要求されると、要求された画面のウェブページを生成する。そして、携帯端末５０の制御部５５は、ＭＦＰ２０によって受信されたＦＡＸの内容を確認するための画面をページ取得手段５５ｄによってＭＦＰ２０から取得して、取得したウェブページをページ表示手段５５ｅによってウェブブラウザー５４ａに表示させる。
【００５１】
利用者は、図７に示すウェブページ２７ａが表示部５２に表示されている場合に、携帯端末５０の操作部５１を介してボタン２７ｄを押すことによって、遠隔地に存在するＭＦＰ２０からＬＡＮ１１内のＳＮＭＰ（Ｓｉｍｐｌｅ  Ｎｅｔｗｏｒｋ  Ｍａｎａｇｅｍｅｎｔ  Ｐｒｏｔｏｃｏｌ）サーバーを利用して電子メールの送信を実行することができる。利用者は、ＭＦＰ２０から電子メールの送信を実行する場合に、ＭＦＰ２０のＢＯＸ内の画像と、携帯端末５０の記憶部５４内の画像との何れかを電子メールの送信の対象として指定することができる。ここで、ＭＦＰ２０の制御部２８は、電子メールの送信の対象を指定するための画面が携帯端末５０から要求されると、要求された画面のウェブページを生成する。そして、携帯端末５０の制御部５５は、電子メールの送信の対象を指定するための画面のウェブページをページ取得手段５５ｄによってＭＦＰ２０から取得して、取得したウェブページをページ表示手段５５ｅによってウェブブラウザー５４ａに表示させる。また、利用者は、ＭＦＰ２０から電子メールの送信を実行する場合に、送信する予定の電子メールのプレビューを表示部５２で確認することができる。ここで、ＭＦＰ２０の制御部２８は、プレビューの画面が携帯端末５０から要求されると、要求された画面のウェブページを生成する。そして、携帯端末５０の制御部５５は、プレビューの画面のウェブページをページ取得手段５５ｄによってＭＦＰ２０から取得して、取得したウェブページをページ表示手段５５ｅによってウェブブラウザー５４ａに表示させる。
【００５２】
利用者は、図７に示すウェブページ２７ａが表示部５２に表示されている場合に、携帯端末５０の操作部５１を介してボタン２７ｅを押すことによって、遠隔地に存在するＭＦＰ２０によって受信された電子メールの内容を確認するための画面を表示部５２に表示させることができる。ここで、ＭＦＰ２０の制御部２８は、ＭＦＰ２０によって受信された電子メールの内容を確認するための画面が携帯端末５０から要求されると、要求された画面のウェブページを生成する。そして、携帯端末５０の制御部５５は、ＭＦＰ２０によって受信された電子メールの内容を確認するための画面をページ取得手段５５ｄによってＭＦＰ２０から取得して、取得したウェブページをページ表示手段５５ｅによってウェブブラウザー５４ａに表示させる。
【００５３】
利用者は、図７に示すウェブページ２７ａが表示部５２に表示されている場合に、携帯端末５０の操作部５１を介してボタン２７ｆを押すことによって、遠隔地に存在するＭＦＰ２０のＢＯＸ内の画像を表示部５２で確認したり、ＭＦＰ２０のＢＯＸ内の画像をＭＦＰ２０から携帯端末５０によって受信したりすることができる。
【００５４】
利用者は、図７に示すウェブページ２７ａが表示部５２に表示されている場合に、携帯端末５０の操作部５１を介してボタン２７ｇを押すことによって、遠隔地に存在するＭＦＰ２０のプリンター２４による印刷を実行することができる。利用者は、ＭＦＰ２０による印刷を実行する場合に、ＭＦＰ２０のＢＯＸ内の画像と、携帯端末５０の記憶部５４内の画像との何れかを印刷の対象として指定することができる。ここで、ＭＦＰ２０の制御部２８は、印刷の対象を指定するための画面が携帯端末５０から要求されると、要求された画面のウェブページを生成する。そして、携帯端末５０の制御部５５は、印刷の対象を指定するための画面のウェブページをページ取得手段５５ｄによってＭＦＰ２０から取得して、取得したウェブページをページ表示手段５５ｅによってウェブブラウザー５４ａに表示させる。また、利用者は、ＭＦＰ２０による印刷を実行する場合に、印刷する予定の画像のプレビューを表示部５２で確認することができる。ここで、ＭＦＰ２０の制御部２８は、プレビューの画面が携帯端末５０から要求されると、要求された画面のウェブページを生成する。そして、携帯端末５０の制御部５５は、プレビューの画面のウェブページをページ取得手段５５ｄによってＭＦＰ２０から取得して、取得したウェブページをページ表示手段５５ｅによってウェブブラウザー５４ａに表示させる。
【００５５】
なお、遠隔接続システム１０は、携帯端末５０などの複数の携帯端末毎にウェブページ２７ａの画面を表示させるので、ＭＦＰ２０の機能が複数の携帯端末毎に同時期に使用されることが可能である。
【００５６】
以上に説明したように、遠隔接続システム１０は、電話番号を使用してＳＩＰで携帯端末５０からＭＦＰ２０に接続する（Ｓ１０１）ことによって、ＨＴＴＰで携帯端末５０からＭＦＰ２０に接続する（Ｓ１０３）ので、ＭＦＰ２０が所属しているインフラストラクチャーにおけるネットワーク、すなわち、ＬＡＮ１１に対して従来のような特別な設定を必要とせずに、携帯端末５０からＭＦＰ２０にインターネットなどのネットワーク１２経由で接続することができる。したがって、遠隔接続システム１０は、携帯端末５０からＭＦＰ２０にネットワーク１２経由で接続する場合に適用可能なインフラストラクチャーを増やすことができる。
【００５７】
また、遠隔接続システム１０は、電話番号を使用してＳＩＰで携帯端末５０からＭＦＰ２０に接続する（Ｓ１０１）ことによって、ＭＦＰ２０のウェブページ２７ａをウェブブラウザー５４ａに表示する（Ｓ１０５）ので、携帯端末５０からのＭＦＰ２０の情報の確認を容易化することができる。
【００５８】
また、遠隔接続システム１０は、電話番号を使用してＳＩＰで携帯端末５０からＭＦＰ２０に接続する（Ｓ１０１）ことによって、ＭＦＰ２０に対する操作用のウェブページ２７ａをウェブブラウザー５４ａに表示するので、携帯端末５０からのＭＦＰ２０に対する操作を容易化することができる。
【００５９】
また、遠隔接続システム１０は、ＭＦＰ２０が所属しているＬＡＮ１１のファイアーウォール３０がＩＰ電話を許可するので、ＳＩＰで携帯端末５０からＭＦＰ２０に接続する（Ｓ１０１）ための特別な設定を必要としない。したがって、遠隔接続システム１０は、携帯端末５０からＭＦＰ２０にネットワーク１２経由で接続する（Ｓ１０３）場合に適用可能なインフラストラクチャーを増やすことができる。
【００６０】
本発明の電子機器は、本実施の形態においてＭＦＰであるが、プリンター専用機など、ＭＦＰ以外の画像形成装置であっても良いし、組み込みシステムを搭載したデジタル家庭電化製品など、画像形成装置以外の電子機器であっても良い。
【符号の説明】
【００６１】
１０  遠隔接続システム
１１  ＬＡＮ（電子機器が所属しているネットワーク）
２０  ＭＦＰ（電子機器）
２７ａ  ウェブページ
３０  ファイアーウォール
５０  携帯端末
５４ａ  ウェブブラウザー
５４ｂ  遠隔接続プログラム
５５ａ  ＳＩＰ接続手段
５５ｂ  アドレス取得手段
５５ｃ  ＨＴＴＰ接続手段
５５ｄ  ページ取得手段
５５ｅ  ページ表示手段
【図１】
2017011564.tif 000003
【図２】
2017011564.tif 000004
【図３】
2017011564.tif 000005
【図４】
2017011564.tif 000006
【図５】
2017011564.tif 000007
【図６】
2017011564.tif 000008
【図７】
2017011564.tif 000009